(57)【要約】【課題】より解像感が高い表示出力を行うことができる表示装置を提供する。又は、白色光の明暗を再現する副画素の組み合わせがより多彩な表示装置を提供する。【解決手段】表示装置は、複数の画素４８が行列方向に沿って配置された自発光型の表示装置であって、１つの画素４８は、補色の関係を有する２色に対応し、行方向又は列方向のうちいずれか一方向に沿って隣接するよう配置された２つの副画素により構成される副画素の組を有し、隣接する副画素の出力を組み合わせて白色光の明暗を再現する副画素の組み合わせが、１つの副画素につき２つ以上存する。【選択図】図７
2017015996.tif 000002
【特許請求の範囲】
【請求項１】
複数の画素が行列方向に沿って配置された自発光型の表示装置であって、
１つの画素は、補色の関係を有する２色に対応し、行方向又は列方向のうちいずれか一方向に沿って隣接するよう配置された２つの副画素により構成される副画素の組を有し、
隣接する副画素を組み合わせて白色光を出力する副画素の組み合わせが、１つの副画素につき２つ以上存する
表示装置。
【請求項２】
それぞれ異なる画素に含まれる２つの副画素であって前記一方向に隣接する２つの副画素の色は、補色の関係を有する
請求項１に記載の表示装置。
【請求項３】
前記副画素の色は、第１原色、第２原色、第３原色を含む３以上の所定数の原色及び前記所定数の原色の各々の補色のいずれかであり、
１つの画素が１以上前記所定数未満の原色の副画素及び当該原色の補色の副画素からなる
請求項１又は請求項２に記載の表示装置。
【請求項４】
補色の関係を有する２色の光の組み合わせは、加法混色することで白色光を得られる色の光の組み合わせである
請求項１乃至請求項３のいずれか一項に記載の表示装置。
【請求項５】
特定の画素が有しない原色の出力を、当該原色の副画素を有する他の画素に割り当てる信号処理部を有する
請求項４に記載の表示装置。
【請求項６】
前記行方向又は前記列方向のうち他方向に隣接する２つの画素は、それぞれが有する前記副画素の組が少なくとも１つ以上異なる
請求項５に記載の表示装置。
【請求項７】
前記行方向又は前記列方向のうち他方向に並ぶ前記所定数の画素で構成される画素領域には、前記所定数の原色の副画素及び当該原色の補色の副画素がそれぞれ同数存する
請求項６に記載の表示装置。
【請求項８】
前記第１原色、前記第２原色及び前記第３原色は、赤、緑及び青である
請求項３乃至請求項７のいずれか一項に記載の表示装置。
【請求項９】
前記副画素の数と入力される画像の解像度との関係に基づいて、有効解像度を切り替える切替装置からの出力により、
前記入力される画像の解像度に応じて、白色光を出力するための副画素の組み合わせを切り替える、
請求項１乃至請求項８のいずれか一項に記載の表示装置。
【発明の詳細な説明】
【技術分野】
【０００１】
本発明は、表示装置に関する。
【背景技術】
【０００２】
１つの画素を赤（Ｒ）、緑（Ｇ）、青（Ｂ）、シアン（Ｃ）、マゼンタ（Ｍ）及びイエロー（Ｙ）の副画素で構成する表示装置が知られている（例えば特許文献１）。
【先行技術文献】
【特許文献】
【０００３】
【特許文献１】国際公開第２００８／１５３００３号
【発明の概要】
【発明が解決しようとする課題】
【０００４】
しかしながら、特許文献１に記載されている表示装置では、画素単位での解像度を副画素数の６分の１よりも上げることができない。
【０００５】
本発明は、上記の課題に鑑みてなされたもので、より解像感が高い表示出力を行うことができる表示装置を提供することを目的とする。又は、白色光の明暗を再現する副画素の組み合わせがより多彩な表示装置を提供することを目的とする。
【課題を解決するための手段】
【０００６】
本発明の一態様による表示装置は、複数の画素が行列方向に沿って配置された自発光型の表示装置であって、１つの画素は、補色の関係を有する２色に対応し、行方向又は列方向のうちいずれか一方向に沿って隣接するよう配置された２つの副画素により構成される副画素の組を有し、隣接する副画素を組み合わせて白色光を出力する副画素の組み合わせが、１つの副画素につき２つ以上存する。
【図面の簡単な説明】
【０００７】
【図１】図１は、本発明の実施形態１に係る表示装置の構成の一例を示すブロック図である。
【図２】図２は、実施形態１に係る画像表示パネルの画素が含む副画素の点灯駆動回路を示す図である。
【図３】図３は、実施形態１に係る画像表示パネルの副画素の配列を示す図である。
【図４】図４は、実施形態１に係る画像表示パネルの断面構造を示す図である。
【図５】図５は、１組の副画素を構成する２色の各々の副画素の配置例を示す図である。
【図６】図６は、隣接する副画素の出力を組み合わせて白色光の明暗を再現する副画素の組み合わせの一例を示す図である。
【図７】図７は、隣接する副画素の出力を組み合わせて白色光の明暗を再現する副画素の組み合わせの一例を示す図である。
【図８】図８は、白色光の明暗を再現する副画素の組み合わせの別パターンを示す図である。
【図９】図９は、所定の入力画像に対する表示出力の一例を示す図である。
【図１０】図１０は、所定の入力画像に対する表示出力の一例を示す図である。
【図１１】図１１は、所定の入力画像に対する表示出力の一例を示す図である。
【図１２】図１２は、第１原色の補色、第２原色の補色及び第３原色の補色の有効解像度の一例を示す図である。
【図１３】図１３は、副画素の色の配置の別の例を示す図である。
【図１４】図１４は、副画素の色の配置の別の例を示す図である。
【図１５】図１５は、１つの画素が有する副画素を用いて再現することができる色空間を示す模式図である。
【図１６】図１６は、１つの画素が有する副画素を用いて再現することができる色空間を示す模式図である。
【図１７】図１７は、１つの画素が有する副画素を用いて再現することができる色空間を示す模式図である。
【図１８】図１８は、信号処理部による処理の一例を示す説明図である。
【図１９】図１９は、信号処理部による処理の一例を示す説明図である。
【図２０】図２０は、信号処理部による処理の一例を示す説明図である。
【図２１】図２１は、入力信号に基づいて出力信号を出力する処理の流れの一例を示すフローチャートである。
【図２２】図２２は、表示装置が有する副画素の各々の発光能力により再現可能な色域と副画素の色の組み合わせで実際に出力される表示装置の色域との関係を示す模式図である。
【図２３】図２３は、画素が１組の副画素を有する場合の例を示す図である。
【図２４】図２４は、表示装置と、入力画像の解像度に応じて表示装置の有効解像度を切り替える切替装置と、を有する表示システムの構成例を示す図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
図１は、本発明の実施形態１に係る表示装置１０の構成の一例を示すブロック図である。図１に示すように、実施形態１の表示装置１０は、信号処理部２０と、画像表示パネル駆動部３０と、画像表示パネル４０とを有する。信号処理部２０は、制御装置１１の画像出力部１２からの入力信号（ＲＧＢデータ）が入力され、入力信号に所定のデータ変換処理を加えて生成した信号を表示装置１０の各部に送る回路である。画像表示パネル駆動部３０は、信号処理部２０からの信号に基づいて画像表示パネル４０の駆動を制御する回路である。画像表示パネル４０は、画像表示パネル駆動部３０からの信号に基づいて画素の自発光体を点灯させて画像を表示する自発光型の画像表示パネルである。
【００１０】
最初に、画像表示パネル４０の構成について説明する。図２は、実施形態１に係る画像表示パネルの画素が含む副画素の点灯駆動回路を示す図である。図３は、実施形態１に係る画像表示パネルの副画素の配列を示す図である。図４は、実施形態１に係る画像表示パネルの断面構造を示す図である。図１に示すように、画像表示パネル４０は、画素４８が、Ｐ０×Ｑ０個（行方向にＰ０個、列方向にＱ０個）、２次元のマトリクス状（行列状）に配列されている。すなわち、本実施形態による表示装置１０は、複数の画素４８が行列方向に沿って配置された自発光型の表示装置である。
【００１１】
画素４８は、複数の副画素４９を含み、図２に示す副画素４９の点灯駆動回路が２次元のマトリクス状（行列状）に配列されている。図２に示すように、点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１２】
画像表示パネル４０は、例えば図３に示すように、４つの副画素４９を有する。具体的には、１つの画素４８には、第１副画素４９Ｒ、第２副画素４９Ｇ、第３副画素４９Ｂ、第４副画素４９Ｃ、第５副画素４９Ｍ、第６副画素４９Ｙの６色の副画素４９のうち４色の副画素を有する。第１副画素４９Ｒ、第２副画素４９Ｇ、第３副画素４９Ｂはそれぞれ、画像表示パネル４０による表示出力に際して第１原色、第２原色、第３原色の光を発する。第４副画素４９Ｃ、第５副画素４９Ｍ、第６副画素４９Ｙはそれぞれ、画像表示パネル４０による表示出力に際して第１原色の補色、第２原色の補色、第３原色の補色の光を発する。本実施形態では、第１原色、第２原色、第３原色がそれぞれ赤（Ｒ）、緑（Ｇ）、青（Ｂ）である場合について記載しているが、第１原色、第２原色、第３原色には任意の色を選択することができる。また、第１原色、第２原色、第３原色がそれぞれ赤（Ｒ）、緑（Ｇ）、青（Ｂ）である本実施形態では、第１原色の補色、第２原色の補色、第３原色の補色がそれぞれシアン（Ｃ）、マゼンタ（Ｍ）及びイエロー（Ｙ）であるが、これらの補色は原色に応じて決定される。本実施形態の説明に係り、第１副画素４９Ｒ、第２副画素４９Ｇ、第３副画素４９Ｂ、第４副画素４９Ｃ、第５副画素４９Ｍ、第６副画素４９Ｙの区別が必要ない説明又はこれらの全てを含む説明においては単に副画素４９と記載することがある。
【００１３】
図４に示すように、画像表示パネル４０は、基板５１と、絶縁層５２、５３と、反射層５４と、下部電極５５と、自発光層５６と、上部電極５７と、絶縁層５８と、絶縁層５９と、色変換層としてのカラーフィルタ６１と、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素４９Ｒと、第２副画素４９Ｇと、第３副画素４９Ｂと、第４副画素４９Ｃと、第５副画素４９Ｍと、第６副画素４９Ｙとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素４９Ｒと、第２副画素４９Ｇと、第３副画素４９Ｂと、第４副画素４９Ｃと、第５副画素４９Ｍと、第６副画素４９Ｙとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００１４】
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００１５】
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００１６】
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００１７】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示パネル４０全体を保護する透光性の基板であり、例えば、ガラス基板を用いることができる。なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光槽の積層順を適宜変えることも可能である。
【００１８】
画像表示パネル４０は、カラー表示パネルであり、自発光層５６の発光成分のうち、副画素４９と画像観察者との間に、副画素４９の色に応じた色の光を通過させるカラーフィルタ６１が配置されている。画像表示パネル４０は、赤（Ｒ）、緑（Ｇ）、青（Ｂ）、シアン（Ｃ）、マゼンタ（Ｍ）及びイエロー（Ｙ）に対応する色の光を発光することができる。また、画像表示パネル４０は、自発光層５６の発光成分がカラーフィルタ６１などの色変換層を介さず、第１副画素４９Ｒ、第２副画素４９Ｇ、第３副画素４９Ｂ、第４副画素４９Ｃ、第５副画素４９Ｍ、第６副画素４９Ｙの各々の色を発光することもできる。
【００１９】
なお、本実施の形態では副画素４９の色に応じた色の光を通過させるカラーフィルタ６１を配置して例を示したが、これに限定されない。赤（Ｒ）、緑（Ｇ）、青（Ｂ）、シアン（Ｃ）、マゼンタ（Ｍ）及びイエロー（Ｙ）に対応する色の光を発光する自発光層５６を用い、カラーフィルタを設けない構成にしてもよい。
【００２０】
次に、第１副画素４９Ｒ、第２副画素４９Ｇ、第３副画素４９Ｂ、第４副画素４９Ｃ、第５副画素４９Ｍ、第６副画素４９Ｙの配置について説明する。１つの画素４８は、補色の関係を有する２色に対応し、行方向又は列方向のうちいずれか一方向に沿って隣接するよう配置された２つの副画素により構成される副画素の組を有する。本実施形態では、１つの画素４８は、２色１組の副画素（以下、１組の副画素）を１組以上有する。具体的には、例えば図３に示すように、画素４８は、第１副画素４９Ｒと第４副画素４９Ｃとの組み合わせによる１組の副画素、第２副画素４９Ｇと第５副画素４９Ｍとの組み合わせによる１組の副画素及び第３副画素４９Ｂと第６副画素４９Ｙとの組み合わせによる１組の副画素のうち少なくともいずれか１組以上有する。ここで、第１副画素４９Ｒの色である第１原色（例えば、赤（Ｒ））と、第４副画素４９Ｃの色である第１原色の補色（例えば、シアン（Ｃ））とは、補色の関係を有する。また、第２副画素４９Ｇの色である第２原色（例えば、緑（Ｇ））と、第５副画素４９Ｍの色である第２原色の補色（例えば、マゼンタ（Ｍ））とは、補色の関係を有する。また、第３副画素４９Ｂの色である第３原色（例えば、緑（Ｂ））と、第６副画素４９Ｙの色である第３原色の補色（例えば、イエロー（Ｙ））とは、補色の関係を有する。すなわち、これらの副画素の組がそれぞれ有する２色の光は、加法混色することで白色光を得られる色の光である。
【００２１】
図３に示す例では、図面中行方向に沿って並ぶ３つの画素４８のうち最左の画素４８Ａが、第１副画素４９Ｒと第４副画素４９Ｃとの組み合わせによる１組の副画素と、第２副画素４９Ｇと第５副画素４９Ｍとの組み合わせによる１組の副画素とを有する。また、画素４８Ａの右側に隣接する画素４８Ｂが、第３副画素４９Ｂと第６副画素４９Ｙとの組み合わせによる１組の副画素と第１副画素４９Ｒと第４副画素４９Ｃとの組み合わせによる１組の副画素とを有する。また、画素４８Ｂの右側に存する画素４８Ｃが、第２副画素４９Ｇと第５副画素４９Ｍとの組み合わせによる１組の副画素と第３副画素４９Ｂと第６副画素４９Ｙとの組み合わせによる１組の副画素とを有する。本実施形態の説明に係り、画素４８Ａ，４８Ｂ，４８Ｃの区別が必要ない説明又はこれらの全てを含む説明においては単に画素４８と記載することがある。
【００２２】
本実施形態では、１つの画素４８は、行列方向に沿って２×２となるように配置された４つの副画素を有する。また、本実施形態では、第１副画素４９Ｒ、第２副画素４９Ｇ、第３副画素４９Ｂが画素４８における上側の副画素の行に配置され、第４副画素４９Ｃ、第５副画素４９Ｍ、第６副画素４９Ｙが画素４８における下側の副画素の行に配置されているが、これは副画素４９の色と画素４８における配置との関係の一例であってこれに限られるものでなく、適宜変更可能である。例えば、第１副画素４９Ｒ、第２副画素４９Ｇ、第３副画素４９Ｂが画素４８における下側の副画素の行に配置され、第４副画素４９Ｃ、第５副画素４９Ｍ、第６副画素４９Ｙが画素４８における上側の副画素の行に配置されていてもよい。
【００２３】
本実施形態の画素４８及び副画素４９の配置について、より詳細に説明する。図３に示すように、本実施形態における副画素の色は、第１原色、第２原色、第３原色を含む３以上の所定数（例えば、３つ）の原色及び当該所定数の原色の各々の補色のいずれかである。補色の関係を有する２色の光の組み合わせは、加法混色することで白色光を得られる色の光の組み合わせである。具体的には、本実施形態において１つの副画素４９が取り得る色は、第１原色、第２原色、第３原色の３つの原色（例えば、赤（Ｒ）、緑（Ｇ）、青（Ｂ））及びこれらの３つの原色の補色（例えば、シアン（Ｃ）、マゼンタ（Ｍ）、イエロー（Ｙ））のいずれかである。また、１つの画素４８が１以上所定数未満（例えば、２つ）の原色の副画素及び当該原色の補色の副画素からなる。具体的には、本実施形態では、１つの画素４８は、補色の関係を有する２組の副画素を有する。言い換えれば、１つの画素４８が有する原色の数は２つであり、所定数未満である。原色の補色の数についても同様である。
【００２４】
また、行方向又は列方向のうち他方向に隣接する２つの画素４８は、それぞれが有する副画素の組が少なくとも１つ以上異なる。ここで、「他方向」とは、行方向又は列方向のうち、上記の「一方向」でない方向である。すなわち、図３に示す例における「他方向」は、行方向である。図３を参照して説明すると、画素４８Ｃは、第１副画素４９Ｒと第４副画素４９Ｃとの副画素の組を有しないが、行方向について画素４８Ｃに隣接する画素４８Ａ，４８Ｂは当該副画素の組を有している。また、画素４８Ｂは、第２副画素４９Ｇと第５副画素４９Ｍとの副画素の組を有しないが、行方向について画素４８Ｂに隣接する画素４８Ａ，４８Ｃは当該副画素の組を有している。また、画素４８Ａは、第３副画素４９Ｂと第６副画素４９Ｙとの副画素の組を有しないが、行方向について画素４８Ａに隣接する画素４８Ｂ，４８Ｃは当該副画素の組を有している。
【００２５】
また、本実施形態では、行方向又は列方向のうち他方向に並ぶ所定数の画素で構成される画素領域には、所定数（例えば、３つ）の原色の副画素及び当該原色の補色の副画素がそれぞれ同数存する。具体的には、図３に示すように、行方向に並ぶ３つの画素４８Ａ，４８Ｂ，４８Ｃで構成される画素領域には、第１副画素４９Ｒ、第２副画素４９Ｇ、第３副画素４９Ｂ、第４副画素４９Ｃ、第５副画素４９Ｍ及び第６副画素４９Ｙがそれぞれ２つずつ存する。すなわち、本実施形態では、行方向について３画素単位で２つずつ各色の副画素４９が配置されている。
【００２６】
また、本実施形態では、ある１つの画素４８が有する副画素の組の配置において、隣接する画素４８が有しない副画素の組を当該隣接する画素４８側に配置している。例えば、画素４８Ａは、第３副画素４９Ｂと第６副画素４９Ｙとの副画素の組を有しない。このため、画素４８Ｂでは、画素４８Ａが隣接する左側に第３副画素４９Ｂと第６副画素４９Ｙとの副画素の組を配置している。また、画素４８Ｃは、第１副画素４９Ｒと第４副画素４９Ｃとの副画素の組を有しない。このため、画素４８Ｂでは、画素４８Ｃが隣接する右側に第１副画素４９Ｒと第４副画素４９Ｃとの副画素の組を配置している。この説明では画素４８Ｂの副画素の組の配置を例としているが、他の画素４８Ａ，４８Ｃが有する副画素の組についても同様に、隣接する他の画素４８が有しない副画素の組が当該他の画素４８側になっている。
【００２７】
図５は、１組の副画素を構成する２色の各々の副画素４９の配置例を示す図である。１組の副画素を構成する２色の各々の副画素４９は、行方向又は列方向のうちいずれか一方向に沿って隣接するよう配置される。本実施形態では、図３に示すように、１組の副画素を構成する２色の各々の副画素４９が列方向に沿って隣接するよう配置されているが、図５の例で示すように、１組の副画素を構成する２色の各々の副画素４９は、行方向に沿って配置されていてもよい。
【００２８】
図６及び図７は、隣接する副画素を組み合わせて白色光を出力する副画素の組み合わせの一例を示す図である。本実施形態では、隣接する副画素を組み合わせて白色光を出力する副画素の組み合わせが、１つの副画素につき２つ以上存する。具体例を挙げると、図６に示すように、画素４８Ａ，４８Ｂ，４８Ｃは、それぞれが有する全ての副画素４９を点灯させることで白色光を出力することができる。すなわち、画素４８Ａ，４８Ｂ，４８Ｃは、それぞれが有する副画素４９の発光強度を調節することで、白色光の明暗を再現することができる。
【００２９】
また、図７に示すように、画素４８Ａ，４８Ｂ，４８Ｃは、それぞれが有する１組の副画素単位で白色光を出力することができる。すなわち、画素４８Ａ，４８Ｂ，４８Ｃは、それぞれが有する補色の関係を有する副画素の組（例えば、列方向に隣接する１組の副画素）単位で発光強度を調節することで、白色光を出力ことができる。このため、例えば、画素４８Ａ，４８Ｂ，４８Ｃが有する２組の副画素のうちいずれか１組の副画素のみを点灯させて白色光を出力しつつ、もう１組の副画素を点灯させないようにすることもできる。
【００３０】
例えば、画素４８において、第１副画素４９Ｒ及び第４副画素４９Ｃで白色光を出力し、第２副画素４９Ｇ及び第５副画素４９Ｍを消灯することで、白色光の明暗を再現することができる。逆に、画素４８において、第２副画素４９Ｇ及び第５副画素４９Ｍで白色光を出力し、第１副画素４９Ｒ及び第４副画素４９Ｃを消灯することで、白色光の明暗を再現することができる。
【００３１】
図６及び図７を参照して説明したように、本実施形態では、隣接する副画素４９を組み合わせて白色光を出力する副画素の組み合わせが、１つの副画素４９につき２つ以上存する。また、図７に示す例において、画素４８Ａ，４８Ｂ，４８Ｃは、もう１組の副画素を以て白色以外の色の光の出力を行うこともできる。
【００３２】
このように、本実施形態では、白色光の明暗の調節粒度を２つ以上設定することができる。よって、光の明度による画像の階調表現により得られる解像度（白黒解像度）を画素４８の数以上にすることができる。例えば、図６に示す例であれば、白黒解像度は画素４８の行列方向の数と同一の解像度になる。一方、図７に示す例であれば、白黒解像度は画素４８の行列方向の数の２倍の解像度、すなわち、画素４８の数を行方向に２倍にした解像度になる。図６等では、白黒解像度に対応する白色光の明暗の制御単位を副画素間の破線による円Ｗで示している。
【００３３】
本実施形態では、同一の副画素４９の組み合わせ及び配置を有する画素４８が列方向に沿って連続して配置されている。具体的には、図３に示すように、画素４８Ａが存する画素列に存する画素は、全て画素４８Ａである。また、画素４８Ｂが存する画素列に存する画素は、全て画素４８Ｂである。また、画素４８Ｃが存する画素列に存する画素は、全て画素４８Ｃである。このように、本実施形態では、同一の副画素４９の組み合わせ及び配置を有する画素４８が列方向に沿って隣接している。
【００３４】
本実施形態では、それぞれ異なる画素４８に含まれる２つの副画素４９であって、一方向に隣接する２つの副画素４９は、補色の関係を有する。ここでいう「それぞれ異なる画素４８に含まれる２つの副画素４９」とは、例えば図３において列方向に沿って隣接する２つの画素４８Ａ，４８Ａのそれぞれが有する副画素４９である。以下、当該２つの画素４８Ａ，４８Ａに注目して説明する。「一方向」は、１組の副画素を構成する２色の各々の副画素４９が隣接する方向であって、図３に示すような本実施形態の場合、列方向である。すなわち、「それぞれ異なる画素４８に含まれる２つの副画素であって、一方向に隣接する２つの副画素」とは、例えば、図３に示す上側の画素４８Ａが有する第４副画素４９Ｃと、下側の画素４８Ａが有する第１副画素４９Ｒとをさす。ここで、上側の画素４８Ａが有する第４副画素４９Ｃの色は、第１原色の補色（例えば、シアン（Ｃ））である。また、下側の画素４８Ａが有する第１副画素４９Ｒの色は、第１原色（例えば、赤（Ｒ））である。このように、本実施形態では、それぞれ異なる画素４８に含まれる２つの副画素であって、一方向に隣接する２つの副画素４９は、補色の関係を有する。
【００３５】
図３に示す上側の画素４８Ａが有する第５副画素４９Ｍと、下側の画素４８Ａが有する第２副画素４９Ｇとの関係も、「それぞれ異なる画素４８に含まれる２つの副画素４９であって、一方向に隣接する２つの副画素４９」に該当する。ここで、上側の画素４８Ａが有する第５副画素４９Ｍの色は、第２原色の補色（例えば、シアン（Ｍ））である。また、下側の画素４８Ａが有する第２副画素４９Ｇの色は、第２原色（例えば、緑（Ｇ））である。よって、係る２つの副画素４９も、補色の関係を有する。画素４８Ａの画素列に限らず、画素４９Ｂ，４９Ｃの画素列においても、それぞれ異なる画素４８に含まれる２つの副画素４９であって、一方向に隣接する２つの副画素４９は、補色の関係を有する。
【００３６】
図８は、白色光を出力する副画素の組み合わせの別パターンを示す図である。本実施形態では、隣接する副画素４９であって、それぞれ異なる画素４８に含まれる副画素４９を組み合わせて白色光を出力する副画素４９の組み合わせが存する。具体的には、図８に示すように、上側の画素４８Ａが有する第４副画素４９Ｃと、下側の画素４８Ａが有する第１副画素４９Ｒとによって白色光を出力することができる。また、上側の画素４８Ａが有する第５副画素４９Ｍと、下側の画素４８Ａが有する第２副画素４９Ｇとによって白色光を出力することができる。さらに、図７を参照して説明したように、画素４８Ａが有する補色の関係を有する副画素の組単位で白色光を出力することができる。よって、図８に示す例の場合、白黒解像度が列方向について約２倍になる。より厳密には、列方向に存する副画素４９の数を１減じた数だけ白黒解像度が得られることになる。
【００３７】
図９、図１０及び図１１は、所定の入力画像に対する表示出力の一例を示す図である。図９では、参考例として、１つの画素が２×２の副画素を有し、かつ、副画素の色が赤（Ｒ）、緑（Ｇ）、青（Ｂ）及び白（Ｗ）である画素４８Ｗの場合について示している。例えば、行列方向に３×４の画素４８が存する画素領域において、黒背景に「Ｚ」状の白文字に対応した表示出力内容を示す入力画像を想定する。この場合において、白（Ｗ）の副画素を有する画素による出力を行うと、図９に示すように、白黒解像度が画素の数と同一の解像度になる。これに対し、図７を参照した説明のように１つの副画素４８が有する２組の副画素の各々で白色光の明暗を再現した場合、白黒解像度が行方向について画素４８の数の２倍になることで、図１０に示すように、「Ｚ」状の白文字の形状が図９に比してより忠実に出力される。さらに、図８を参照した説明のようにそれぞれ異なる画素４８に含まれる副画素４９の出力を組み合わせて白色光の明暗を再現した場合、白黒解像度がさらに列方向に約２倍になることで、図１１に示すように、「Ｚ」状の白文字の形状が図９、図１０に比してより忠実に出力される。
【００３８】
図１２は、第１原色の補色、第２原色の補色及び第３原色の補色の有効解像度の一例を示す図である。本実施形態では、白色光の明暗の再現に限らず、副画素４９の色の配置及び発光状態の組み合わせによってより多彩な表示出力を行うことができる。例えば、図１２に示すように、画素４８Ａは、行方向に隣接する第１副画素４８Ｒの色（赤（Ｒ））と第２副画素４８Ｇの色（緑（Ｇ））とを組み合わせることで、第３原色の補色（イエロー（Ｙ））を再現することができる。また、画素４８Ｂは、行方向に隣接する第３副画素４８Ｂの色（青（Ｂ））と第１副画素４８Ｒの色（赤（Ｒ））とを組み合わせることで、第２原色の補色（マゼンタ（Ｍ））を再現することができる。また、画素４８Ｃは、行方向に隣接する第２副画素４８Ｇの色（緑（Ｇ））と第３副画素４８Ｂの色（青（Ｂ））とを組み合わせることで、第１原色の補色（シアン（Ｃ））を再現することができる。図１２では、原色の副画素４９（第１副画素４９Ｒ、第２副画素４９Ｇ、第３副画素４９Ｂ）の組み合わせによる補色（シアン（Ｃ）、マゼンタ（Ｍ）、イエロー（Ｙ））の明暗の制御単位を副画素間の破線による円Ｃ、円Ｍ、円Ｙで示している。
【００３９】
さらに、隣接する副画素４９であって、それぞれ異なる画素４８に含まれる副画素４９の出力を組み合わせてより多彩な表示出力を行うことができる。具体的には、図１２に示すように、行方向について隣接する画素４８Ａの第２副画素４９Ｇの色（緑（Ｇ））と画素４８Ｂの第３副画素４９Ｂの色（青（Ｂ））とを組み合わせることで、第１原色の補色（シアン（Ｃ））を再現することができる。また、行方向について隣接する画素４８Ｂの第１副画素４９Ｒの色（赤（Ｒ））と画素４８Ｃの第２副画素４９Ｇの色（緑（Ｇ））とを組み合わせることで、第３原色の補色（イエロー（Ｙ））を再現することができる。また、行方向について隣接する画素４８Ｃの第３副画素４９Ｂの色（青（Ｂ））と画素４８Ａの第１副画素４９Ｒの色（赤（Ｒ））とを組み合わせることで、第２原色の補色（マゼンタ（Ｍ））を再現することができる。
【００４０】
図１３及び図１４は、副画素４９の色の配置の別の例を示す図である。図３に示す例では、原色の副画素（第１副画素４９Ｒ、第２副画素４９Ｇ、第３副画素４９Ｂ）と、補色の副画素（第４副画素４９Ｃ、第５副画素４９Ｍ、第６副画素４９Ｙ）とが並列し、原色と補色とが混在する副画素行が存しないが、これは副画素４９の色の配置の一例であってこれに限られるものでない。例えば、図１３、図１４に示すように、原色の副画素と補色の副画素とが千鳥状に配置されていてもよい。図１３に示す例では、行方向について１つの副画素単位で千鳥状の配列となっている。すなわち、図１３に示す例では、図３に示す画素４８Ａ，４８Ｂ，４８Ｃにおける副画素４９の色の配置を基準とすると、各画素４８の右側の副画素の組を構成する副画素４９の上下関係が入れ替わっている画素４８ａ，４８ｂ，４８ｃが行列方向に沿って並んでいる。図１４に示す例では、行方向について３つの副画素単位で千鳥状の配列となっている。すなわち、図１４に示す例では、図３に示す画素４８Ａ，４８Ｂ，４８Ｃにおける副画素４９の色の配置を基準とすると、画素４８Ｂの右側の副画素の組及び画素４８Ｃの全ての副画素の組を構成する副画素４９の上下関係が入れ替わっており、画素４８Ａ，４８ｂ，４８Ｄが行列方向に沿って並んでいる。
【００４１】
図１３に示す全ての画素及び図１４に示す画素のうち行方向について中央に図示されている画素は、画素４８内で斜めに配置されている原色の副画素を組み合わせることで、図１２を参照して説明した例と同様に補色を出力することができる。図１３及び図１４に示す例において、異なる画素に存する副画素４９の色の組み合わせで白色光及び補色を出力する仕組みを適用することもできる。
【００４２】
以上、白色光及び補色（例えば、シアン（Ｃ）、マゼンタ（Ｍ）、イエロー（Ｙ）の再現について説明したが、副画素４９の色の組み合わせによる再現はこれらの色に限られるものでなく、副画素４９の各々の発光強度（階調値）によってより多彩な色再現を行うことができる。
【００４３】
図１５、図１６及び図１７はそれぞれ、１つの画素４８が有する副画素４９を用いて再現することができる色空間を示す模式図である。なお、図１５、図１６及び図１７はそれぞれ、画素４８Ａ，４８Ｂ，４８Ｃが有する副画素４９を用いて再現することができる色空間を示している。画素４８Ａを例として説明すると、画素４８Ａは、第１副画素４９Ｒ、第２副画素４９Ｇ、第４副画素４９Ｃ、第５副画素４９Ｍを有していることから、各々の副画素４９の光によって第１原色、第２原色、第１原色の補色、第２原色の補色を再現することができる。また、図１２を参照して説明した通り、画素４８Ａは、第１原色と第２原色とを組み合わせて第３原色の補色を再現することができる。このことから、図１５に示すように、画素４８Ａは、第３原色の副画素である第３副画素４９Ｂの光を必須とする色再現以外の色再現を、１つの画素で行うことができる。言い換えれば、１つの画素は、当該画素が有しない原色を必須とする色再現以外の色再現を行うことができる。よって、画素４８Ｂの場合、図１６に示すように、第２原色の副画素である第２副画素４９Ｇの光を必須とする色再現以外の色再現を、１つの画素で行うことができる。また、画素４８Ｃの場合、図１７に示すように、第１原色の副画素である第１副画素４９Ｒの光を必須とする色再現以外の色再現を、１つの画素で行うことができる。
【００４４】
上記の図１５、図１６及び図１７を参照した説明を言い換えると、１つの画素は、当該画素が有しない原色の光を必須とする色再現を行うことができない。入力信号が示すＲＧＢ階調値によっては画素４８Ａ，４８Ｂ，４８Ｃがそれぞれ単独で色再現を行うことができる場合もあるが（図１８参照）、例えば画素４８Ａに対して第３原色の光を必須とする表示出力内容に対応する入力信号が入力されると、係る表示出力内容に対応する色再現を画素４８Ａのみで行うことはできないことになる（図１９参照）。そこで、本実施形態の信号処理部２０は、入力信号に応じて発光が必要になる副画素の色のうち特定の画素が有しない原色の出力を当該原色の副画素を有する他の画素に割り当てる処理（サブピクセルレンダリング処理）を行う。
【００４５】
図１８は、信号処理部２０による処理の一例を示す説明図である。図１８を参照した説明では、画素４８Ａ，４８Ｂ，４８Ｃがそれぞれ単独で色再現を行うことができる場合の例として、３つの画素４８Ａ，４８Ｂ，４８Ｃのそれぞれに対して（Ｒ，Ｇ，Ｂ）＝（２５５，１２８，２５５）の入力信号が入力された場合について説明する。なお、図１８乃至図２０では、各色の副画素４９を、副画素４９の色を示す文字が付された白色の矩形で示している。当該白色の矩形内にマスキングが施されたパターンがある場合、その副画素４９の色に対応する色成分が０でないことを示し、マスキングパターンが無い、すなわち、色を示す文字のみである場合、当該色成分が０であることを示す。また、図１８乃至図２０における黒塗りの矩形は、画素４８Ａ，４８Ｂ，４８Ｃがそれぞれ有しない原色及び補色の副画素４９を示す。具体的には、例えば画素４８Ａの場合、第３副画素４９Ｂ及び第６副画素４９Ｙを有しないことから、他の画素４８Ｂ，４８Ｃで第３副画素４９Ｂ及び第６副画素４９Ｙが配置される位置に黒塗りの矩形が配置されている。同様に、画素４８Ｂの場合、他の画素４８Ａ，４８Ｃにおける第２副画素４９Ｇ及び第５副画素４９Ｍの位置に黒塗りの矩形が配置されている。画素４８Ｃの場合、他の画素４８Ａ，４８Ｂにおける第１副画素４９Ｒ及び第４副画素４９Ｃの位置に黒塗りの矩形が配置されている。
【００４６】
信号処理部２０は、入力信号から白色成分（Ｗｏｕｔ）を抽出して白色成分と白色成分以外の色成分とに分ける処理（Ｗ成分抽出）を行う。具体的には、図１８で示す（Ｒ，Ｇ，Ｂ）＝（２５５，１２８，２５５）の入力信号は、（Ｒ，Ｇ，Ｂ）＝（１２８，１２８，１２８）の白色成分と、白色成分以外の色成分である（Ｒ，Ｇ，Ｂ）＝（１２７，０，１２７）の色成分とに分けることができる。
【００４７】
信号処理部２０は、画素４８がそれぞれ有する副画素４９の色の組み合わせで白色成分を出力するための色成分の割戻し処理（Ｗ成分割戻し）を行う。例えば、画素４８Ａを構成する副画素４９の色である第１原色、第２原色、第１原色の補色及び第２原色の補色へのＷ成分割戻しの場合、信号処理部２０は、（Ｒ，Ｇ，Ｂ）＝（１２８，１２８，１２８）の白色成分を、（Ｒ，Ｇ，Ｂ）＝（６４，０，０）の赤（Ｒ）成分と、（Ｒ，Ｇ，Ｂ）＝（０，６４，０）の緑（Ｇ）成分と、（Ｒ，Ｇ，Ｂ）＝（０，６４，６４）のシアン（Ｃ）成分と、（Ｒ，Ｇ，Ｂ）＝（６４，０，６４）のマゼンタ（Ｍ）成分とに割戻す。ＲＧＢＣＭＹの階調値で表すと、信号処理部２０は、Ｗ成分割戻しによって、画素４８Ａにおける白色成分を（Ｒ，Ｇ，Ｂ，Ｃ，Ｍ，Ｙ）＝（６４，６４，０，６４，６４，０）とする。同様に、信号処理部２０は、画素４８Ｂ，４８Ｃにおける白色成分を、それぞれ（Ｒ，Ｇ，Ｂ，Ｃ，Ｍ，Ｙ）＝（６４，０，６４，６４，０，６４），（０，６４，６４，０，６４，６４）とする。
【００４８】
また、信号処理部２０は、画素４８がそれぞれ有する副画素４９の色の組み合わせで白色成分以外の色成分を出力するための変換処理（ＲＧＢＣＭＹ変換）を行う。例えば、（Ｒ，Ｇ，Ｂ）＝（１２７，０，１２７）の色成分は、（Ｃ，Ｍ，Ｙ）＝（０，１２７，０）とすることができる。よって、信号処理部２０は、ＲＧＢＣＭＹ変換によって、第２原色の補色の副画素である第５副画素４９Ｍを有する画素４８Ａ，４８Ｃにおける（Ｒ，Ｇ，Ｂ）＝（１２７，０，１２７）の色成分を（Ｒ，Ｇ，Ｂ，Ｃ，Ｍ，Ｙ）＝（０，０，０，０，１２７，０）とする。一方、画素４８Ｂは、第５副画素４９Ｍを有しないが、第１原色の副画素である第１副画素４９Ｒ及び第３原色の副画素である第３副画素４９Ｂを有することから、（Ｒ，Ｇ，Ｂ）＝（１２７，０，１２７）の色成分をそのまま出力することができる。この場合、信号処理部２０は、ＲＧＢＣＭＹ変換によって、画素４８Ｂにおける（Ｒ，Ｇ，Ｂ）＝（１２７，０，１２７）の色成分を（Ｒ，Ｇ，Ｂ，Ｃ，Ｍ，Ｙ）＝（１２７，０，１２７，０，０，０）とする。
【００４９】
上記のように、信号処理部２０は、ＲＧＢＣＭＹ変換において画素４８がそれぞれ有する副画素４９の色での出力を優先するように変換を行う。具体的には、信号処理部２０は、画素４８Ａの場合、第１原色、第１原色の補色、第２原色及び第２原色の補色を優先したＲ／Ｃ／Ｇ／Ｍ優先変換を行う。同様の仕組みで、信号処理部２０は、画素４８Ｂ，４８Ｃの場合、それぞれＢ／Ｙ／Ｒ／Ｃ優先変換、Ｇ／Ｍ／Ｂ／Ｙ優先変換を行う。
【００５０】
信号処理部２０は、Ｗ成分割戻しで得られた色成分とＲＧＢＣＭＹ変換で得られた色成分とを画素４８単位で合成して画素４８のそれぞれの出力信号とする処理（ＲＧＢＣＭＹ合成）を行う。例えば、信号処理部２０は、画素４８ＡにおけるＷ成分割戻しによる（Ｒ，Ｇ，Ｂ，Ｃ，Ｍ，Ｙ）＝（６４，６４，０，６４，６４，０）のＲＧＢＣＭＹ階調値とＲＧＢＣＭＹ変換による（Ｒ，Ｇ，Ｂ，Ｃ，Ｍ，Ｙ）＝（０，０，０，０，１２７，０）のＲＧＢＣＭＹ階調値とを合成し、（Ｒ，Ｇ，Ｂ，Ｃ，Ｍ，Ｙ）＝（６４，６４，０，６４，１９１，０）のＲＧＢＣＭＹ階調値を得る。信号処理部２０は、この階調値を示す信号を画素４８Ａに対する出力信号とする。信号処理部２０は、画素４８Ｂ，４８Ｃについても同様の仕組みでＲＧＢＣＭＹ合成を行い、それぞれ（Ｒ，Ｇ，Ｂ，Ｃ，Ｍ，Ｙ）＝（１９１，０，１９１，６４，０，６４），（０，６４，６４，０，１９１，６４）の階調値を示す信号を出力信号とする。
【００５１】
図１９は、信号処理部２０による処理の一例を示す説明図である。図１９を参照した説明では、画素４８Ａが単独で色再現を行うことができない場合の例として、３つの画素４８Ａ，４８Ｂ，４８Ｃのそれぞれに対して（Ｒ，Ｇ，Ｂ）＝（６４，６４，１９２）の入力信号が入力された場合について説明する。
【００５２】
図１９に示す例の場合、信号処理部２０は、Ｗ成分抽出によって（Ｒ，Ｇ，Ｂ）＝（６４，６４，６４）の白色成分と、白色成分以外の色成分である（Ｒ，Ｇ，Ｂ）＝（０，０，１２８）の色成分とを得る。Ｗ成分割戻しについては、図１８に示す例と同様である。図１９に示す例の場合、画素４８Ａ，４８Ｂ，４８Ｃにおける白色成分は、（Ｒ，Ｇ，Ｂ）＝（６４，６４，６４）の白色成分に基づき、（Ｒ，Ｇ，Ｂ，Ｃ，Ｍ，Ｙ）＝（３２，３２，０，３２，３２，０），（３２，０，３２，３２，０，３２），（０，３２，３２，０，３２，３２）となる。
【００５３】
図１９に示す例の場合、白色成分以外の色成分である（Ｒ，Ｇ，Ｂ）＝（０，０，１２８）の色成分は、他の成分に変換することができない。このため、第３副画素４９Ｂを有しない画素４８Ａでは、（Ｒ，Ｇ，Ｂ）＝（０，０，１２８）の色成分に対応する出力を行うことができない。この場合、信号処理部２０は、サブピクセルレンダリング処理を行い、１つの画素４８（例えば、画素４８Ａ）で出力することができない色成分を当該色成分に対応する副画素４９を有する他の画素４８（例えば、画素４８Ｂ及び画素４８Ｃ）に割り当てる。具体的には、例えば画素４８Ａにおける（Ｒ，Ｇ，Ｂ）＝（０，０，１２８）の色成分を２つの（Ｒ，Ｇ，Ｂ）＝（０，０，６４）の色成分に２分割し、それぞれ画素４８Ｂ，４８Ｃが有する第３副画素４９Ｂに割り当てる。サブピクセルレンダリング処理の結果として、画素４８Ａ，４８Ｂ，４８Ｃのそれぞれにおける白色成分以外の色成分は（Ｒ，Ｇ，Ｂ）＝（０，０，０），（０，０，１９２），（０，０，１９２）になる。
【００５４】
本実施形態では、信号処理部２０は、ＲＧＢＣＭＹ変換に際して必要に応じてサブピクセルレンダリング処理を行う。図１９に示す例の場合、信号処理部２０は、サブピクセルレンダリング処理を含むＲＧＢＣＭＹ変換によって、画素４８Ａ，４８Ｂ，４８Ｃにおける（Ｒ，Ｇ，Ｂ）＝（０，０，１２８）の色成分をそれぞれ（Ｒ，Ｇ，Ｂ，Ｃ，Ｍ，Ｙ）＝（０，０，０，０，０，０），（０，０，１９２，０，０，０），（０，０，１９２，０，０，０）とする。ＲＧＢＣＭＹ合成については、図１８の場合と同様である。よって、信号処理部２０は、画素４８Ａ，４８Ｂ，４８Ｃの出力信号が示す階調値としてそれぞれ（Ｒ，Ｇ，Ｂ，Ｃ，Ｍ，Ｙ）＝（３２，３２，０，３２，３２，０），（３２，０，２２４，３２，０，３２），（０，３２，２２４，０，３２，３２）の階調値を得る。
【００５５】
以上、画素４８Ａと第３原色とを例としてサブピクセルレンダリング処理について説明したが、他の原色の場合も同様の仕組みで、当該原色を有しない画素４８から当該原色を有する他の画素４８に階調値が割り当てられる。
【００５６】
白色成分は、例えば入力信号が示すＲＧＢの階調値のうち最低の階調値と同値の階調値を入力信号が示すＲＧＢのそれぞれの階調値から抽出することで得られるが、これは白色成分の決定方法の一例であってこれに限られるものでない。例えば、このように抽出された成分に所定のゲイン値（Ｗｇａｉｎ）を乗じたＲＧＢの階調値を白色成分とするようにしてもよい。所定のゲイン値は、０を超え、かつ、１以下である値である。
【００５７】
図２１は、入力信号に基づいて出力信号を出力する処理の流れの一例を示すフローチャートである。信号処理部２０は、入力信号が示す階調値に基づいてＷ成分抽出を行う（ステップＳ１）。次に、信号処理部２０は、Ｗ成分割戻しを行う（ステップＳ２）。また、信号処理部２０は、ＲＧＢＣＭＹ変換を行う（ステップＳ３）。信号処理部２０は、白色成分以外の色成分に応じて発光が必要になる副画素の色のうち特定の画素４８が有しない原色の出力が当該特定の画素４８に割り当てられているか否か判定する（ステップＳ４）。ここで、特定の画素４８が有しない原色の出力が当該特定の画素４８に割り当てられていると判定された場合（ステップＳ４；Ｙｅｓ）、信号処理部２０はサブピクセルレンダリング処理によって当該原色の色成分を当該原色の副画素４９を有する他の画素４８に割り当てる（ステップＳ５）。ステップＳ４にて特定の画素４８が有しない原色の出力が当該特定の画素４８に割り当てられていないと判定された場合（ステップＳ４；Ｎｏ）、ステップＳ５の処理は省略される。ステップＳ２の処理と、ステップＳ３〜ステップＳ５の処理との処理順は順不同であり、また、並行処理であってもよい。これらの処理後、信号処理部２０は、ＲＧＢＣＭＹ合成によって合成された階調値を得、出力信号が示す階調値とする（ステップＳ６）。
【００５８】
なお、図１８及び図１９を参照した説明において、信号処理部２０は最初にＷ成分抽出を行っている。これに代えて、信号処理部２０は、Ｗ成分抽出とＣＭＹ成分抽出のうち、それぞれの画素４８でサブピクセルレンダリング処理を行わずに出力することができる処理を画素４８毎に個別に採用するようにしてもよい。図２０を参照してＣＭＹ成分抽出が採用され得る場合について説明する。
【００５９】
図２０は、信号処理部２０による処理の一例を示す説明図である。図２０を参照した説明では、３つの画素４８Ａ，４８Ｂ，４８Ｃのそれぞれに対して（Ｒ，Ｇ，Ｂ）＝（１２７，１２７，２５４）の入力信号が入力された場合について説明する。図２０を参照した説明では、結果としてＣＭＹ成分抽出が採用される画素４８Ａの場合を例としてＣＭＹ抽出について説明する。
【００６０】
（Ｒ，Ｇ，Ｂ）＝（１２７，１２７，２５４）の入力信号が示す階調値は、（Ｒ，Ｇ，Ｂ，Ｃ，Ｍ，Ｙ）＝（０，０，０，１２７，１２７，０）のように変換することができる。ここで、画素４８Ａは、第４副画素４９Ｃ及び第５副画素４９Ｍによってシアン（Ｃ）及びマゼンタ（Ｍ）をサブピクセルレンダリング処理を行わずに出力することができる。よって、ＣＭＹ成分抽出が採用された場合、画素４８Ａは、サブピクセルレンダリング処理を行わずに入力信号に対応する出力を行うことができる。これに対し、（Ｒ，Ｇ，Ｂ）＝（１２７，１２７，２５４）の入力信号に対して図１８及び図１９を参照して説明したＷ成分抽出を行うと、画素４８Ａで出力することができない第３原色の成分、すなわち、（Ｒ，Ｇ，Ｂ）＝（０，０，１２７）の成分が生じる。このため、Ｗ成分抽出が採用された場合、画素４８Ａに対する入力信号が示す成分の一部をサブピクセルレンダリング処理で他の画素４８に割り当てることになる。よって、図２０に示す例の場合、信号処理部２０は、画素４８Ａの出力に係りＣＭＹ成分抽出を採用する。
【００６１】
なお、画素４８Ｂ，４８Ｃでは、Ｗ成分抽出を行った場合にＷ成分以外の成分として残る（Ｒ，Ｇ，Ｂ）＝（０，０，１２７）の成分をサブピクセルレンダリング処理を行わずに出力することができる。一方、画素４８Ｂではマゼンタ（Ｍ）を出力することができない。また、画素４８Ｃではシアン（Ｃ）を出力することができない。よって、図２０に示す例の場合、信号処理部２０は、画素４８Ｂ，４８Ｃの出力に係りＷ成分抽出を採用する。
【００６２】
信号処理部２０は、入力信号から白色成分（Ｗｏｕｔ）を抽出して白色成分と白色成分以外の色成分とに分ける処理（Ｗ成分抽出）を行う。具体的には、図１８で示す（Ｒ，Ｇ，Ｂ）＝（１２７，１２７，２５４）の入力信号は、（Ｒ，Ｇ，Ｂ）＝（１２７，１２７，１２７）の白色成分と、白色成分以外の色成分である（Ｒ，Ｇ，Ｂ）＝（０，０，１２７）の色成分とに分けることができる。
【００６３】
信号処理部２０は、画素４８がそれぞれ有する副画素４９の色の組み合わせで白色成分を出力するための色成分の割戻し処理（Ｗ成分割戻し）を行う。具体的には、信号処理部２０は、画素４８Ｂ，４８Ｃにおける白色成分を、それぞれ（Ｒ，Ｇ，Ｂ，Ｃ，Ｍ，Ｙ）＝（６４，０，６４，６３，０，６３），（０，６４，６４，０，６３，６３）とする。白色成分以外の色成分である（Ｒ，Ｇ，Ｂ）＝（０，０，１２７）の色成分を第３副画素４９Ｂに割り当て、Ｗ成分割戻し結果が示す（Ｒ，Ｇ，Ｂ，Ｃ，Ｍ，Ｙ）の色成分と合成する。具体的には、信号処理部２０は、画素４８Ｂ，４８Ｃについて、それぞれ（Ｒ，Ｇ，Ｂ，Ｃ，Ｍ，Ｙ）＝（６４，０，１９１，６３，０，６３），（０，６４，１９１，０，６３，６３）の階調値を示す信号を出力信号とする。
【００６４】
図１９に示す例では、画素４８Ａの（Ｒ，Ｇ，Ｂ）＝（０，０，６４）の色成分を２分割して画素４８Ｂ，４８Ｃに割り当てているが、これはサブピクセルレンダリング処理による階調値の割り当ての一例であってこれに限られるものでない。サブピクセルレンダリング処理においてどの画素４８にどの程度階調値を割り当てるのかについては適宜変更可能である。よって、例えば、図２０における画素４８Ｂ，４８ＣのＷ成分戻しにおける原色と補色の比率（６４：６３）は、逆であってもよい等、元になる（Ｒ，Ｇ，Ｂ）＝（１２７，１２７，１２７）の白色成分からの割戻し結果として適正となる範囲内で任意に変更可能である。本実施形態の表示装置１０は、サブピクセルレンダリング処理によって他の画素４８から割り当てられる階調値に応じた副画素４９の出力（発光）を行うことができる最大発光能力を有しており、係る最大発光能力を考慮した設計及び製造を経て提供される。
【００６５】
また、本実施形態の表示装置１０が有する副画素４９の各々の発光能力は、副画素４９の色の組み合わせで再現される表示装置１０の色域に必要な発光能力よりも高い。係る発光能力について、図２２を参照して説明する。
【００６６】
図２２は、表示装置１０が有する副画素４９の各々の発光能力により再現可能な色域と副画素４９の色の組み合わせで実際に出力される表示装置１０の色域との関係を示す模式図である。仮に、表示装置１０が有する副画素４９の各々の発光能力により再現可能な色域と副画素４９の色の組み合わせで実際に出力される表示装置１０の色域とが同一の色域Ｌ１である、すなわち、表示装置１０の副画素４９が有する発光能力のポテンシャルによる最大の色域と表示装置１０の表示出力において視認されうる実効色域とが同一であるとすると、表示装置１０は、最大階調値の原色１色の出力に際して当該原色の副画素４９を最大発光能力で点灯させる。言い換えれば、この仮定の条件下にある表示装置１０は、最大階調値の原色１色の出力に際して他の色の副画素４９を点灯させることができない。なぜなら、他の色の副画素４９を点灯させると、表示装置１０の再現色が点灯した色の方向に引っ張られてしまって原色としての出力にならなくなるからである。例えば、赤（Ｒ）を最大階調値で出力しようとした場合に他の色の副画素４９が点灯していると、再現色が赤（Ｒ）以外のいずれかの色側に近づいてしまって赤（Ｒ）の原色に対応しない色になってしまう。他の原色についても同様である。最大階調値の原色１色の出力に際して他の色の副画素４９を点灯させることができないということは、６つの副画素４９のうち１つの副画素（例えば、第１副画素４９Ｒ）しか点灯させられないということである。このため、図３に示す画素配列の場合等において、発光している副画素４９の周期が水平方向に３分の２表示となり粒状感として認識されることがある。
【００６７】
これに対し、本実施形態では、図２２に示すように、表示装置１０が有する副画素の各々の発光能力により再現可能な色域（符号Ｌ２）が、副画素の色の組み合わせで実際に出力される表示装置１０の色域（符号Ｌ１）よりも大きい。このため、本実施形態の表示装置１０は、最大階調値の原色１色の出力に際して当該原色以外の色の副画素４９を点灯させることができる。例えば、赤（Ｒ）を「実際に出力される表示装置１０の色域」の最大階調値で出力しようとした場合、目標となる色は図２２の色域における符号Ｐ１に対応する。ここで、表示装置１０が有する第１副画素４９Ｒを最大発光能力で点灯させたとき、仮に他の副画素４９が点灯していないとすると、出力される色は図２２の色域における符号Ｐ１よりも外側に位置する符号Ｐ２に対応する。このままでは「実際に出力される表示装置１０の色域」から外れた色になってしまうが、他の色の副画素４９を点灯させることで、出力される光の色成分を「実際に出力される表示装置１０の色域」側に寄せることができる。例えば、緑（Ｇ）及び青（Ｂ）を共に点灯させることで、矢印Ｖで示すように符号Ｐ２から符号Ｐ１側に色を引っ張ることができる。また、赤（Ｒ）の補色であるシアン（Ｃ）を点灯させることでも、符号Ｐ２から符号Ｐ１側に色を引っ張ることができる。また、マゼンタ（Ｍ）及びイエロー（Ｙ）を点灯させることでも、符号Ｐ２から符号Ｐ１側に色を引っ張ることができる。また、シアン（Ｃ）、マゼンタ（Ｍ）及びイエロー（Ｙ）を点灯させて白（Ｗ）成分を出力することによっても、符号Ｐ２から符号Ｐ１側に色を引っ張ることができる。このように例示した「Ｐ２から符号Ｐ１側に色を引っ張ることができる」点灯パターンは２つ以上組み合わせることができる。以上、赤（Ｒ）の色再現時を例として説明したが、他の原色や他の補色の出力時においても同様に、「再現することが意図されている色」以外の副画素を点灯させることができるようになる。すなわち、本実施形態の表示装置１０によれば、副画素４９の各々の発光能力は、副画素４９の色の組み合わせで再現される表示装置１０の色域に必要な発光能力よりも高いことで、出力する色に関わらずより多くの副画素４９を点灯させることができるようになる。このため、表示出力内容に関わらず粒状感をより低減することができるようになる。
【００６８】
以上説明したように、本実施形態の表示装置１０によれば、白色光を出力する副画素４９の組み合わせが、１つの副画素４９につき２つ以上存するので、白色光を出力する副画素４９の組み合わせをより多彩にすることができる。また、白色光を出力する副画素４９の組み合わせパターンが１つの画素４８に２つ以上存するように組み合わせを設定することで、より解像感が高い表示出力を行うことができる。
【００６９】
また、それぞれ異なる画素４８に含まれる２つの副画素４９であって一方向（例えば、列方向）に隣接する２つの副画素４９が補色の関係を有することで、隣接する画素４８の副画素４９を用いた白色光の組み合わせを実現することができる。よって、白色光を出力する副画素４９の組み合わせをより多彩にすることができる。また、係る組み合わせを用いることにより、より解像感が高い表示出力を行うことができる。
【００７０】
また、１つの画素が１以上所定数未満の原色の副画素４９及び当該原色の補色の副画素４９からなることで、１つの画素４８が全ての原色及び補色の副画素４９を有する場合に比して画素４８の数による解像度（リアル解像度）をより高めることができる。
【００７１】
また、入力信号に応じて発光が必要になる副画素４９の色のうち特定の画素４８が有しない原色の出力を当該原色の副画素４９を有する他の画素４８に割り当てる信号処理部２０を有することで、表示領域全体を用いて入力信号が示す各色の階調値に応じた出力を行うことができるようになる。
【００７２】
また、他方向（例えば、行方向）に隣接する２つの画素４８の各々が有する副画素の組が少なくとも１つ以上異なるので、特定の画素４８のより近傍に存する他の画素４８に信号処理部２０による色の割り当てを行いやすくなる。このため、入力信号が示す色と座標（画素４８の位置）との関係について、できるだけ近い座標（特定の画素４８のより近傍に存する他の画素４８）で当該色の出力を代替することができることになることから、入力信号が示す色と座標との関係により近い関係を実現することがより容易になる。
【００７３】
また、他方向に並ぶ所定数の画素で構成される画素領域には、所定数の原色の副画素及び当該原色の補色の副画素がそれぞれ同数存するので、表示領域全体における色のバランスを取ることがより容易になる。
【００７４】
また、所定の色数が３であり、第１原色、第２原色及び第３原色が、赤（Ｒ）、緑（Ｇ）及び青（Ｂ）であることで、ＲＧＢデータである入力信号に応じた出力がより容易になる。
【００７５】
また、副画素の各々の発光能力が副画素の色の組み合わせで再現される表示装置１０の色域に必要な発光能力よりも高いことで、表示出力内容に関わらず粒状感をより低減することができるようになる。
【００７６】
なお、上記の実施形態では１つの画素４８が２組の副画素を有しているが、１つの画素が有する副画素の組の数は適宜変更可能である。図２３は、画素が１組の副画素を有する場合の例を示す図である。図２３に示すように、画素４８の構成単位を１組の副画素としてもよい。より具体的には、図２３に示す画素４８は、原色及びその補色の副画素を構成単位とした例である。図２３に示す例は、図３に示す副画素４９の配置をそのままに、画素４８の構成単位を行列方向について１×２にした例であるが、これは一例であってこれに限られるものでなく、行列方向の配置が入れ替わってもよいし、図１３、図１４に示すような副画素４９の配置で画素４８の構成単位を１組の副画素としてもよい。
【００７７】
また、上記の実施形態では、第１原色、第２原色、第３原色とその補色とについて例示しているが、原色の数及びどの色を原色として副画素４９の色とするかについては任意である。例えば、橙色、藍色等の色を原色としてもよい。所謂フルカラーの出力を行う場合、原色として上記の実施形態のような赤（Ｒ）、緑（Ｇ）、青（Ｂ）の３原色を副画素４９の色として採用することが望ましい。
【００７８】
また、本発明の表示装置１０は、副画素の数と表示装置１０に入力される画像（以下、入力画像）の解像度との関係に基づいて有効解像度を切り替えるようにすることもできる。図２４は、表示装置１０と、入力画像の解像度に応じて表示装置１０の有効解像度を切り替える切替装置として機能する制御装置１１と、を有する表示システムの構成例を示す図である。表示装置１０は上記で説明した表示装置１０と同様であるので、詳細な説明を省略する。以下、表示装置１０が有する画素４８と副画素４９との関係が図３に示すものである場合を例として説明する。
【００７９】
制御装置１１は、切替部１３を有する。切替部１３は、入力画像の解像度に応じて、隣接する副画素４９の出力の組み合わせにより白色光を出力するための副画素４９の組み合わせ（画素の最小単位）の設定を切り替える機能を有する。具体的には、切替部１３は、係る機能を備えるよう設けられた回路である。表示装置１０は、切替部１３が設定した組み合わせで白色光の明暗を再現する。
【００８０】
例えば、入力画像の行列方向の解像度が行方向、列方向共に画素４８の数以下であった場合、切替部１３は、１つの画素４８が有する２組の副画素を最小単位として白色光の明暗を再現するよう組み合わせを設定する。すなわち、この場合、切替部１３は、リアル解像度を画素の数と同一の解像度にする。一方、入力画像の行列方向の解像度が行方向、列方向のいずれか一方について画素４８の数を超えていた場合、切替部１３は、図７を参照した説明のように１組の副画素を最小単位として白色光の明暗を再現するよう組み合わせを設定する。すなわち、この場合、切替部１３は、図１０を参照した説明と同様に、リアル解像度を画素４８の数の２倍にする。また、入力画像の行列方向の解像度が行方向、列方向の両方について画素４８の数を超えていた場合、図８を参照した説明のようにそれぞれ異なる画素４８に含まれる副画素４９の出力を組み合わせて白色光の明暗を再現するよう組み合わせを設定する。すなわち、この場合、切替部１３は、図１１を参照した説明と同様に、リアル解像度を画素４８の数の約４倍にする。表示装置１０の信号処理部２０は、切替部１３により設定されたリアル解像度に応じて、白色光の明暗を再現するために組み合わせて用いられる副画素４９の組み合わせを決定する（例えば、図７、図１０、図１１参照）。
【００８１】
このように、本実施形態の表示システムによれば、副画素４９の数と表示装置１０に入力される画像の解像度との関係に基づいて有効解像度を切り替えるので、当該画像の表示出力により適当な有効解像度を得るのがより容易になる。
【００８２】
また、本実施形態において述べた態様によりもたらされる他の作用効果について本明細書記載から明らかなもの、又は当業者において適宜想到し得るものについては、当然に本発明によりもたらされるものと解される。
【００８３】
また、本発明は、以下のように記載することができる。
（１）
複数の画素が行列方向に沿って配置された自発光型の表示装置であって、
１つの画素は、補色の関係を有する２色に対応し、行方向又は列方向のうちいずれか一方向に沿って隣接するよう配置された２つの副画素により構成される副画素の組を  有し、
隣接する副画素を組み合わせて白色光を出力する副画素の組み合わせが、１つの副画素につき２つ以上存する  
表示装置。
（２）
それぞれ異なる画素に含まれる２つの副画素であって前記一方向に隣接する２つの副画素の色は、補色の関係を有する
（１）に記載の表示装置。
（３）
前記副画素の色は、第１原色、第２原色、第３原色を含む３以上の所定数の原色及び  前  記所定数の原色の各々の補色のいずれかであり、
１つの画素が１以上前記所定数未満の原色の副画素及び当該原色の補色の副画素からなる
（１）又は（２）に記載の表示装置。
（４）
補色の関係を有する２色の光の組み合わせは、加法混色することで白色光を得られる色の光の組み合わせである
（１）乃至（３）のいずれか一つに記載の表示装置。
（５）
特定の画素が有しない原色の出力を、当該原色の副画素を有する他の画素に割り当てる信号処理部を有する
（４）に記載の表示装置。
（６）
前記行方向又は前記列方向のうち他方向に隣接する２つの画素は、それぞれが有する前記副画素の組  が  少なくとも１つ以上異なる
（５）に記載の表示装置。
（７）
前記行方向又は前記列方向のうち他方向に並ぶ前記所定数の画素で構成される画素領域には、前記所定数の原色の副画素及び当該原色の補色の副画素がそれぞれ同数存する
（６）に記載の表示装置。
（８）
前記第１原色、前記第２原色及び前記第３原色は、赤、緑及び青である
（３）乃至（７）のいずれか一つに記載の表示装置。
（９）
前記副画素の数と入力される画像の解像度との関係に基づいて、有効解像度を切り替える切替装置からの出力により、
前記入力される画像の解像度に応じて、白色光を出力するための副画素の組み合わせ  を  切り替える、
（１）乃至（８）のいずれか一つに記載の表示装置。
【符号の説明】
【００８４】
１０      表示装置
１１      制御装置
１２      画像出力部
１３      切替部
２０      信号処理部
３０      画像表示パネル駆動部
４０      画像表示パネル
４８      画素
４９Ｒ    第１副画素
４９Ｇ    第２副画素
４９Ｂ    第３副画素
４９Ｃ    第４副画素
４９Ｍ    第５副画素
４９Ｙ    第６副画素
【図１】
2017015996.tif 000003
【図２】
2017015996.tif 000004
【図３】
2017015996.tif 000005
【図４】
2017015996.tif 000006
【図５】
2017015996.tif 000007
【図６】
2017015996.tif 000008
【図７】
2017015996.tif 000009
【図８】
2017015996.tif 000010
【図９】
2017015996.tif 000011
【図１０】
2017015996.tif 000012
【図１１】
2017015996.tif 000013
【図１２】
2017015996.tif 000014
【図１３】
2017015996.tif 000015
【図１４】
2017015996.tif 000016
【図１５】
2017015996.tif 000017
【図１６】
2017015996.tif 000018
【図１７】
2017015996.tif 000019
【図１８】
2017015996.tif 000020
【図１９】
2017015996.tif 000021
【図２０】
2017015996.tif 000022
【図２１】
2017015996.tif 000023
【図２２】
2017015996.tif 000024
【図２３】
2017015996.tif 000025
【図２４】
2017015996.tif 000026